(57)【要約】【課題】起動処理途中に電源スイッチが切られた場合にも、コントローラを安全にシャットダウンしながら、消費電力を低減する。【解決手段】複合機１００は、整流平滑回路４とコンバータ６とを介してエンジン１３に電力を供給する電力供給回路と、リレー回路３と整流平滑回路５とコンバータ７等を介してコントローラ１４に電力を供給する電力供給回路とを備える。ＡＣスイッチ２がオフとなると、電源１からエンジン１３に供給される電力は遮断される。一方でＡＣスイッチ２がオフとなってもコントローラ１４への電力供給は遮断されず、コントローラ制御部１６が、コントローラ１４を安全に停止するための所定のシャットダウン処理を終了した後、リレー回路３にオフ信号を送出してリレー回路３をオフとすることで、コントローラ１４への電力供給は遮断される。【選択図】図１
2011173286.tif 000002
【特許請求の範囲】
【請求項１】
記録媒体に転写したトナー像を加熱により前記記録媒体に定着させて前記記録媒体上に画像を形成する画像形成手段と、
画像形成にかかるデータ処理を行うコントローラと、
電源が供給する電力を、前記画像形成手段および前記コントローラに対して供給または遮断するスイッチと、
前記スイッチと前記画像形成手段との間に設けられ、前記スイッチがオンである場合には、前記電源が供給する電力を前記画像形成手段に供給し、前記スイッチがオフである場合には、前記電源が前記画像形成手段に対して供給する電力を遮断する第１の電力供給回路と、
前記電源および前記コントローラとの間に設けられ、前記スイッチがオンである場合には、前記電源が供給する電力を前記コントローラに供給し、前記スイッチがオフである場合であって、かつ、前記コントローラへの電力遮断を指令するオフ信号を受信した場合には、前記電源が前記コントローラに供給する電力を遮断する第２の電力供給回路と、
前記スイッチのオン・オフ状態を検出し、前記スイッチがオフであると検出した場合には、前記コントローラの所定のシャットダウン処理を行った後に前記第２の電力供給回路に対して前記オフ信号を送出するコントローラ制御手段と、
を備えたことを特徴とする画像形成装置。
【請求項２】
前記第２の電力供給回路は、前記コントローラ制御手段から前記オフ信号を受信した場合に、開回路状態となって前記電源から前記コントローラへの電力供給を遮断する第１の電源遮断手段を備えること、
を特徴とする請求項１に記載の画像形成装置。
【請求項３】
前記コントローラ制御手段は、前記スイッチがオンとなって前記第２の電力供給回路から電力が供給された場合に前記コントローラの起動処理を行い、さらに、前記起動処理が終了した場合に前記スイッチのオン・オフ状態について検出すること、
を特徴とする請求項１または２に記載の画像形成装置。
【請求項４】
前記第１の電力供給回路は、前記スイッチと前記画像形成手段との間に、前記スイッチがオンである場合に、前記電源が供給する電圧を前記画像形成手段に適した駆動電圧に変換し、当該駆動電圧を前記画像形成手段および前記第１の電源遮断手段にそれぞれ供給する第１の駆動電圧生成手段を備え、
前記第２の電力供給回路は、前記第１の電源遮断手段と前記コントローラとの間に、前記第１の電源遮断手段が閉回路状態である場合に、前記第１の電源遮断手段から供給される電圧を前記コントローラに適した駆動電圧に変換し、当該駆動電圧をコントローラおよび前記第１の電源遮断手段にそれぞれ供給する第２の駆動電圧生成手段を備えたこと、
を特徴とする請求項２または３に記載の画像形成装置。
【請求項５】
前記スイッチのオン・オフ状態を検出し、前記スイッチがオフであると検出した場合には、前記画像形成手段の冷却処理を所定の時間だけ行ってから、前記画像形成手段への電力遮断を指令するオフ信号を送出する画像形成制御手段をさらに備え、
前記第１の電力供給回路は、前記電源と前記画像形成手段との間に、前記画像形成制御手段から前記オフ信号を受信した場合に、開回路状態となって前記電源から前記画像形成手段への電力供給を遮断する第２の電源遮断手段を備えること、
を特徴とする請求項１から４のいずれか１つに記載の画像形成装置。
【請求項６】
前記画像形成制御手段は、前記スイッチがオンとなって前記電源から電力が供給された場合に、前記画像形成制御手段を起動する起動処理を行って、当該起動処理が完了してから前記スイッチがオフであると検出するまでの時間を計測し、計測した前記時間に応じた前記所定の時間だけ前記冷却処理を行うこと、
を特徴とする請求項５に記載の画像形成装置。
【請求項７】
前記コントローラ制御手段は、前記コントローラの起動処理を開始した場合に、前記第１の電源遮断手段に対してオン信号を送出し、
前記第１の電源遮断手段は、前記オン信号を受信した場合に閉回路状態となって前記コントローラに出力電圧を供給し、
前記第１の電源遮断手段が開回路状態である場合には、前記第１の駆動電圧生成手段の出力電圧を前記第１の電源遮断手段に供給し、前記第１の電源遮断手段が閉回路状態である場合には、前記第２の駆動電圧生成手段の出力電圧を前記第１の電源遮断手段に供給するスイッチング回路を備えたこと、
を特徴とする請求項２ないし６のいずれか１つに記載の画像形成装置。
【請求項８】
前記第１の駆動電圧生成手段と前記コントローラとの間に第１の整流手段を備え、
前記第１の駆動電圧生成手段は、前記第１の整流手段を介して前記コントローラに電力を供給すること、
を特徴とする請求項７に記載の画像形成装置。
【請求項９】
前記第２の駆動電圧生成手段と前記コントローラとの間に第２の整流手段を備え、
前記コントローラ制御手段は、前記第２の駆動電圧生成手段の出力電圧がオンとなった場合に前記第１の電源遮断手段に対してオン信号を送出し、
前記スイッチング回路は、前記第２の駆動電圧生成手段の出力がオンとなった場合で、かつ、前記第１の電源遮断手段が閉回路状態となった場合に、前記第１の駆動電圧生成手段から前記コントローラへの電力供給を遮断し、
前記第２の駆動電圧生成手段は、前記第１の駆動電圧生成手段から前記コントローラへの電力供給が遮断された場合に、前記第２の整流手段を介して前記コントローラへ電力を供給すること、
を特徴とする請求項８に記載の画像形成装置。
【請求項１０】
記録媒体に転写したトナー像を加熱により前記記録媒体に定着させて前記記録媒体上に画像を形成する画像形成手段と、
画像形成にかかるデータ処理を行うコントローラと、
電源が供給する電力を、前記画像形成手段および前記コントローラに対して供給または遮断するスイッチと、
前記スイッチと前記画像形成手段との間に設けられ、前記スイッチがオンである場合には、前記電源が供給する電力を前記画像形成手段に供給し、前記スイッチがオフである場合には、前記電源が前記画像形成手段に対して供給する電力を遮断する第１の電力供給回路と、
前記電源および前記コントローラとの間に設けられ、前記スイッチがオンである場合には、前記電源が供給する電力を前記コントローラに供給し、前記スイッチがオフである場合であって、かつ、前記コントローラへの電力遮断を指令するオフ信号を受信した場合には、前記電源が前記コントローラに供給する電力を遮断する第２の電力供給回路と、
を備えた画像形成装置において、
前記スイッチのオン・オフ状態を検出し、前記スイッチがオフであると検出した場合には、前記コントローラの所定のシャットダウン処理を行った後に前記第２の電力供給回路に対して前記オフ信号を送出するコントローラ制御ステップ、
を含むことを特徴とする画像形成方法。
【請求項１１】
記録媒体に転写したトナー像を加熱により前記記録媒体に定着させて前記記録媒体上に画像を形成する画像形成手段と、
画像形成にかかるデータ処理を行うコントローラと、
電源が供給する電力を、前記画像形成手段および前記コントローラに対して供給または遮断するスイッチと、
前記スイッチと前記画像形成手段との間に設けられ、前記スイッチがオンである場合には、前記電源が供給する電力を前記画像形成手段に供給し、前記スイッチがオフである場合には、前記電源が前記画像形成手段に対して供給する電力を遮断する第１の電力供給回路と、
前記電源および前記コントローラとの間に設けられ、前記スイッチがオンである場合には、前記電源が供給する電力を前記コントローラに供給し、前記スイッチがオフである場合であって、かつ、前記コントローラへの電力遮断を指令するオフ信号を受信した場合には、前記電源が前記コントローラに供給する電力を遮断する第２の電力供給回路と、
を備えた画像形成装置において、コンピュータを、
前記スイッチのオン・オフ状態を検出し、前記スイッチがオフであると検出した場合には、前記コントローラの所定のシャットダウン処理を行った後に前記第２の電力供給回路に対して前記オフ信号を送出するコントローラ制御手段、
として機能させることを特徴とするプログラム。
【発明の詳細な説明】
【技術分野】
【０００１】
本発明は、画像形成装置、画像形成方法およびプログラムに関する。
【背景技術】
【０００２】
従来、画像形成装置は、未使用時の消費電力を削減するためにスリープモードを備えており、装置未使用時にはスリープモードにおいて、感光体の温度制御等の処理を休止して消費電力を削減している。しかしながら、スリープモードにおいてもわずかながら電力を消費するため、近年では、装置未使用時には主電源を遮断して、消費電力を低減することが望まれている。
【０００３】
一方、画像形成装置においては、複写・プリンタ・ＦＡＸ等の複数の機能を１台に組み込んだ複合機が市場での主流となっており、このような複合機の大多数には、ＨＤＤ（Hard  Disk  Drive）が搭載されて使用される。そして、ＨＤＤを搭載した画像形成装置においては、ＨＤＤ内のデータにアクセスしてデータ処理を行っている最中に電力の供給が遮断されると、ＨＤＤにシステムの重要なデータを書き込む前に電源が切られてしまう等して、データが消失したり破壊されたりしてしまうという問題があった。
【０００４】
これに対して、特許文献１では、主電源スイッチが切られた場合には、システム・キャッシュの書き出しや、プログラムの終了処理など、予め定められた所定のシャットダウン処理が完了した後に電力の供給を遮断する技術が開示されている。これによりユーザは、ＨＤＤがデータにアクセスするタイミングを気にすることなく電源スイッチを切ることができ、装置未使用時の電力消費量を低減するとともに、ＨＤＤを保護することが可能となった。
【発明の概要】
【発明が解決しようとする課題】
【０００５】
ところで、一般的な画像形成装置は、主電源投入後、装置を高速起動するために、コントローラの起動処理と、エンジンの起動処理とが並行して行われる。また、コントローラの起動処理が完了するまで、エンジンでは、トナー定着部のヒータ点灯などの起動処理が続行される。
【０００６】
従って、特許文献１の画像処理装置では、ユーザが電源スイッチを入れた直後に、使用する装置を間違えた等の理由で電源スイッチを切る場合には、コントローラの起動処理およびシャットダウン処理が完了するまで、エンジンの起動処理は中断されず、トナー定着部のヒータ点灯による電力消費など、無駄に電力を消費してしまうという問題があった。
【０００７】
本発明は、上記に鑑みてなされたものであって、起動処理途中に電源スイッチが切られた場合にも、コントローラを安全にシャットダウンしながら、消費電力を低減することができる画像形成装置、画像形成方法およびプログラムを提供することを目的とする。
【課題を解決するための手段】
【０００８】
上述した課題を解決し、目的を達成するために、本発明の画像形成装置は、記録媒体に転写したトナー像を加熱により前記記録媒体に定着させて前記記録媒体上に画像を形成する画像形成手段と、画像形成にかかるデータ処理を行うコントローラと、電源が供給する電力を、前記画像形成手段および前記コントローラに対して供給または遮断するスイッチと、前記スイッチと前記画像形成手段との間に設けられ、前記スイッチがオンである場合には、前記電源が供給する電力を前記画像形成手段に供給し、前記スイッチがオフである場合には、前記電源が前記画像形成手段に対して供給する電力を遮断する第１の電力供給回路と、前記電源および前記コントローラとの間に設けられ、前記スイッチがオンである場合には、前記電源が供給する電力を前記コントローラに供給し、前記スイッチがオフである場合であって、かつ、前記コントローラへの電力遮断を指令するオフ信号を受信した場合には、前記電源が前記コントローラに供給する電力を遮断する第２の電力供給回路と、前記スイッチのオン・オフ状態を検出し、前記スイッチがオフであると検出した場合には、前記コントローラの所定のシャットダウン処理を行った後に前記第２の電力供給回路に対して前記オフ信号を送出するコントローラ制御手段と、を備えたことを特徴とする。
【０００９】
また、本発明の画像形成方法は、記録媒体に転写したトナー像を加熱により前記記録媒体に定着させて前記記録媒体上に画像を形成する画像形成手段と、画像形成にかかるデータ処理を行うコントローラと、電源が供給する電力を、前記画像形成手段および前記コントローラに対して供給または遮断するスイッチと、前記スイッチと前記画像形成手段との間に設けられ、前記スイッチがオンである場合には、前記電源が供給する電力を前記画像形成手段に供給し、前記スイッチがオフである場合には、前記電源が前記画像形成手段に対して供給する電力を遮断する第１の電力供給回路と、前記電源および前記コントローラとの間に設けられ、前記スイッチがオンである場合には、前記電源が供給する電力を前記コントローラに供給し、前記スイッチがオフである場合であって、かつ、前記コントローラへの電力遮断を指令するオフ信号を受信した場合には、前記電源が前記コントローラに供給する電力を遮断する第２の電力供給回路と、を備えた画像形成装置において、前記スイッチのオン・オフ状態を検出し、前記スイッチがオフであると検出した場合には、前記コントローラの所定のシャットダウン処理を行った後に前記第２の電力供給回路に対して前記オフ信号を送出するコントローラ制御ステップ、を含むことを特徴とする。
【００１０】
また、本発明のプログラムは、記録媒体に転写したトナー像を加熱により前記記録媒体に定着させて前記記録媒体上に画像を形成する画像形成手段と、画像形成にかかるデータ処理を行うコントローラと、電源が供給する電力を、前記画像形成手段および前記コントローラに対して供給または遮断するスイッチと、前記スイッチと前記画像形成手段との間に設けられ、前記スイッチがオンである場合には、前記電源が供給する電力を前記画像形成手段に供給し、前記スイッチがオフである場合には、前記電源が前記画像形成手段に対して供給する電力を遮断する第１の電力供給回路と、前記電源および前記コントローラとの間に設けられ、前記スイッチがオンである場合には、前記電源が供給する電力を前記コントローラに供給し、前記スイッチがオフである場合であって、かつ、前記コントローラへの電力遮断を指令するオフ信号を受信した場合には、前記電源が前記コントローラに供給する電力を遮断する第２の電力供給回路と、を備えた画像形成装置において、コンピュータを、前記スイッチのオン・オフ状態を検出し、前記スイッチがオフであると検出した場合には、前記コントローラの所定のシャットダウン処理を行った後に前記第２の電力供給回路に対して前記オフ信号を送出するコントローラ制御手段、として機能させることを特徴とする。
【発明の効果】
【００１１】
本発明によれば、スイッチがオフとなった場合に、第２の電力供給回路は、コントローラ制御手段による所定のシャットダウン処理後にコントローラに対する電力を遮断する一方で、第１の電力供給回路は画像形成手段に対する電力を即遮断するため、起動処理途中に電源スイッチが切られてオフとなった場合にも、コントローラを安全にシャットダウンしながら、消費電力を低減することができるという効果を奏する。
【図面の簡単な説明】
【００１２】
【図１】図１は、本発明の第１の実施の形態にかかる複合機の概略構成図である。
【図２】図２は、シャットダウン動作を説明するタイムチャートである。
【図３】図３は、第２の実施の形態にかかる複合機の概略構成図である。
【図４】図４は、コントローラ制御部が行うシャットダウン処理の手順を説明するフローチャートである。
【図５】図５は、エンジン制御部が行うシャットダウン処理の手順を説明するフローチャートである。
【図６】図６は、シャットダウン動作を説明するタイムチャートである。
【図７】図７は、第３の実施の形態にかかる複合機の概略構成図である。
【図８】図８は、シャットダウン動作を説明するタイムチャートである。
【図９】図９は、従来の複合機の概略構成図である。
【図１０】図１０は、従来の複合機が行うシャットダウン動作を説明するタイムチャートである。
【発明を実施するための形態】
【００１３】
以下に添付図面を参照して、この発明にかかる画像形成装置、画像形成方法およびプログラムの最良な実施の形態を詳細に説明する。
【００１４】
（第１の実施の形態）
本発明の第１の実施の形態について、図１および図２を用いて説明する。本実施の形態は画像形成装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi  Function  Peripheral）と称される複合機を適用した例を挙げて説明する。
【００１５】
図１は、第１の実施の形態にかかる複合機１００の概略構成図である。図１に示すように、複合機１００は、画像形成手段としてのエンジン１３と、制御手段としてのコントローラ１４とがＰＣＩ（Peripheral  Component  Interface）バスで接続されている。また、画像形成制御手段であるエンジン制御部１５と、コントローラ制御部１６とが、バス、シリアル等のインターフェースで接続されている。
【００１６】
交流電源（電源）１は、複合機１００の主電源として機能し、エンジン１３およびコントローラ１４のそれぞれに電力を供給する。
【００１７】
ＡＣスイッチ２は、電源１が供給する電力をエンジン１３およびコントローラ１４に対して供給または遮断する。ＡＣスイッチ２が入っている場合（オン）には、電源１は、ＡＣスイッチ２、整流平滑回路４、コンバータ６を介してエンジン１３に電力を供給する。ＡＣスイッチ２が切れている場合（オフ）には、ＡＣスイッチ２以降の整流平滑回路４、コンバータ６およびエンジン１３への電力供給を遮断する。
【００１８】
エンジン１３は、実際の印刷処理を行う各機構であり、コピー原稿を光学的に読み込むスキャナ部１７や、画像データに基づいてドラム上にレーザを照射して感光する感光部１８、転写等を行う作像部１９、記録媒体に転写したトナー像を加熱により定着させる定着部２０を備えている。また、エンジン１３は、これら全体を制御するエンジン制御部１５を備えている。
【００１９】
エンジン制御部１５は、エンジン１３のシステム全体、すなわち、スキャナ部１７や、感光部１８、作像部１９、定着部２０等を制御するものである。また、エンジン制御部１５は、ＣＰＵ及びＲＯＭ（Read  Only  Memory）、ＲＡＭ（Random  Access  Memory）、ＦＩＦＯ（First-In  First-Out）等を制御するＡＳＩＣ（Application  Specific  Integrated  Circuit）や、それらを接続するバスやインターフェース等を備えている。
【００２０】
また、エンジン制御部１５は、ＡＣスイッチ２がオンとなって電力が供給された場合には、エンジン１３を起動する起動処理を行い、作像部１９や定着部２０に通電して加熱する等の処理を行う。さらに、エンジン制御部１５は、ＡＣスイッチ２がオフとなって電力が遮断された場合には、電源１がエンジン１３に供給する電力を即遮断して、エンジン１３の起動処理や加熱処理などの各処理を停止する。
【００２１】
コントローラ１４は、複合機１００全体を制御するものであり、画像形成に関する各種データ処理を行うものである。即ち、コントローラ１４は、外部から受け取った文字コードや描画命令などに基づいて、エンジン１３が印刷する描画データを作成する。また、コントローラ１４は、スキャナ部１７が読み込んだ画像データの保存や加工、通信にかかる処理を行う。コントローラ１４は、画像データ等を記憶する記憶装置としてのＨＤＤ２１や、ＬＡＮを介して他の情報処理装置との通信を行う通信Ｉ／Ｆ２２を備えている。また、コントローラ１４は、電源キーの操作や、ＡＤＦ（Auto  Document  Feeder：自動給紙装置）の開閉動作など、ユーザが複合機１００において何らかの操作をした場合に、省エネモードから通常モードに切り替える省エネ監視部２３を備えている。また、コントローラ１４は、コントローラ１４全体を制御するコントローラ制御部１６を備えている。
【００２２】
コントローラ制御部１６は、コントローラ１４のシステム全体、すなわち、ＨＤＤ２１、通信Ｉ／Ｆ２２、省エネ監視部２３を制御するものである。また、コントローラ制御部１６は、ＣＰＵ及びＲＯＭ、ＲＡＭ、ＦＩＦＯ等を制御するＡＳＩＣや、それらを接続するバスやインターフェース等を備えている。
【００２３】
また、コントローラ制御部１６は、コントローラ１４の起動処理が完了した場合に、開閉検出機能付きＡＣスイッチ２のオン・オフ状態を検出する。コントローラ制御部１６は、ＡＣスイッチ２がオンであると検出した場合には、コントローラ１４を起動する起動処理を行う。コントローラ制御部１６は、ＡＣスイッチ２がオフであると判定した場合には、シャットダウン移行モードに入り、システム・キャッシュの書き出しやプログラムの終了など、ＨＤＤ２１に対するアクセス処理を含んだコントローラ１４のシャットダウン処理を行う。コントローラ制御部１６は、コントローラ１４の起動処理およびシャットダウン処理が完了した場合に、リレー回路３に対してオフ信号を出力し、電源１がコントローラ１４に供給する電力を遮断する。
【００２４】
コンバータ６は、電源１とエンジン１３との間に設けられ、第１の駆動電圧生成手段として機能する。コンバータ６は、電源１からＡＣスイッチ２および整流平滑回路４を介して供給される交流電圧を、エンジン１３に適した駆動電圧に変換する。そして、コンバータ６は、変換後の電圧をエンジン１３に供給する。また、コンバータ６は、定電圧生成回路１０および逆起電力防止用のダイオード８を介して、リレー回路３に入力電圧を供給する。
【００２５】
定電圧生成回路１０は、コンバータ６の出力をリレー回路３の駆動電圧として適した電圧に変換し、変換後の電圧を、逆起電力防止用のダイオード８を介してリレー回路３に入力する。
【００２６】
リレー回路３は、電源１とコントローラ１４の間に設けられ、第１の電源遮断手段として機能する。リレー回路３は、閉回路状態（オン）となった場合に電源１からの電力を、整流平滑回路５およびコンバータ７を介してコントローラ１４に供給する。また、リレー回路３は、開回路状態（オフ）となった場合に電源１からコントローラ１４への電力供給を遮断する。
【００２７】
より詳細には、リレー回路３は、ノーマルオープン接点タイプであり、コンバータ６の出力電圧がオンとなった場合にオンとなる。或いは、リレー回路３は、コンバータ７の出力電圧がオンであり、かつ、コントローラ制御部１６がトランジスタ２６、抵抗２４、抵抗２５を介して、リレー回路３に対してオン信号を送出し、ＦＥＴ（Field  Effect  Transistor：電界効果トランジスタ）１２がオンとなった場合にオンとなる。
【００２８】
また、リレー回路３は、コンバータ６の出力電圧がオフとなった場合で、且つコンバータ７の出力電圧がオフとなった場合にオフとなる。或いは、リレー回路３は、コンバータ６の出力電圧がオフであり、且つ、コントローラ制御部１６がトランジスタ２６、抵抗２４、抵抗２５を介して、リレー回路３に対してオフ信号を送出し、ＦＥＴ１２がオフとなった場合にオフとなる。
【００２９】
コンバータ７は、リレー回路３とコントローラ１４との間に設けられ、第２の駆動電圧生成手段として機能する。コンバータ７は、リレー回路３がオンである場合に、電源１からリレー回路３および整流平滑回路５を介して供給される交流電圧を、コントローラ１４に適した駆動電圧に変換する。そして、コンバータ７は、変換後の電圧をコントローラ１４に供給する。また、コンバータ７は、変換後の電圧を、ＦＥＴ１２と、定電圧生成回路１１と、逆起電力防止用のダイオード９とを介して、リレー回路３に入力電圧を供給する。
【００３０】
定電圧生成回路１１は、コンバータ７の出力をリレー回路３の駆動電圧として適した電圧に変換し、変換後の電圧を、逆起電力防止用のダイオード９を介してリレー回路３に入力する。
【００３１】
すなわち、ＡＣスイッチ２の出力端子から、整流平滑回路４およびコンバータ６を介してエンジン１３に至るまでの回路は、エンジン１３に電力を供給する第１の電力供給回路として機能するものである。第１の電力供給回路は、ＡＣスイッチ２とエンジン１３との間に設けられる回路であり、ＡＣスイッチ２がオンである場合には電源１が供給する電力をエンジン１３に供給し、ＡＣスイッチ２がオフである場合には電源１がエンジン１３に供給する電力を遮断するものである。
【００３２】
また、電源１（またはコンバータ６）から、リレー回路３および整流平滑回路５、コンバータ７、ＦＥＴ１２を介してコントローラ１４に至るまでの回路は、コントローラ１４に電力を供給する第２の電力供給回路として機能するものである。第２の電力供給回路は、電源１とコントローラ１４との間に設けられる回路であり、ＡＣスイッチ２がオンである場合には、電源１が供給する電力をコントローラ１４に供給する。また、第２の電力供給回路は、ＡＣスイッチ２がオフであって、かつ、コントローラ１４への電力遮断を指令するオフ信号を受信した場合に、電源１がコントローラ１４に供給する電力を遮断するものである。尚、第１および第２の電力供給回路の構成要素は、上述に限定されるものではなく、上述の要素に代替する素子やその他構成要素であればよい。
【００３３】
次に、複合機１００が行うシャットダウン動作について、図２を用いて説明する。図２は、コントローラ制御部１６による起動処理中にＡＣスイッチ２がオフとなった場合に、複合機１００が行うシャットダウン動作を説明するタイムチャートである。
【００３４】
まず、ＡＣスイッチ２がオンとなると、ＡＣスイッチ２を介して電源１からコンバータ６に電力が供給され、コンバータ６の出力電圧がオンとなる。そして、エンジン１３に電力が供給されて、エンジン制御部１５は、エンジン１３の起動処理を開始する。エンジン制御部１５は、まずエンジン制御部１５の起動処理を行い、エンジン制御部１５の起動処理が完了すると、定着部２０の昇温を開始するなど、各部の起動処理を行う。
【００３５】
一方、コンバータ６の出力電圧がオンとなると、コンバータ６の出力電圧がリレー回路３に入力されて、リレー回路３がオンとなる。また、リレー回路３を介してコンバータ７に電力が供給されて、コンバータ７の出力電圧がオンとなる。そして、コンバータ７からコントローラ１４に電力が供給されて、コントローラ制御部１６はコントローラ１４の起動処理を開始する。さらに、コントローラ制御部１６がリレー回路３に対してオン信号を送出することにより、リレー回路３はオンとなり、コンバータ７の出力電圧がリレー回路３に入力される。即ち、リレー回路３に対してコンバータ６および７の双方から電力が供給される。
【００３６】
この状態でＡＣスイッチ２がオフとなると、コンバータ６への電力供給が遮断され、コンバータ６の出力電圧がオフとなって、エンジン１３には電力が供給されず、シャットダウン状態となる。
【００３７】
ここで、上述のように、リレー回路３へはコンバータ６および７の双方から電力が供給されているので、コンバータ６からリレー回路３への入力電圧がオフとなっても、コンバータ７からリレー回路３への入力電圧はオンであるため、リレー回路３はオンのまま維持される。従って、コンバータ７からコントローラ１４へ供給される電力は遮断されないため、コントローラ１４はシャットダウンせずに起動処理を続行することができる。
【００３８】
そして、コントローラ１４の起動処理が完了した場合に、コントローラ制御部１６はＡＣスイッチ２のオン・オフ状態を検出する。ＡＣスイッチ２がオフである場合には、コントローラ制御部１６は、シャットダウン移行モードに入り、上述したコントローラ１４のシャットダウン処理を行う。シャットダウン処理が完了すると、コントローラ制御部１６は、リレー回路３に対してオフ信号を送出する。これにより、コンバータ７からリレー回路３への入力電圧は遮断されて、リレー回路３がオフとなる。リレー回路３がオフとなると、コンバータ７への電力供給は遮断され、コンバータ７の出力電圧はオフとなって、コントローラ１４には電力が供給されずシャットダウン状態となる。
【００３９】
従来の複合機９００では、図９に示すように、電源１は、リレー回路３および整流平滑回路５を介してコンバータ６、７の双方に対して並列に電力を供給していた。従って、コントローラ制御部１６がオフ信号を送出してリレー回路３をオフとすると、コンバータ６、７のそれぞれを介してエンジン１３およびコントローラ１４の双方に対する電源供給が同時に遮断されてしまう。
【００４０】
従って、従来の複合機９００は、図１０に示すように、コントローラ１４の起動処理中にＡＣスイッチ２がオフとなった場合、コントローラ１４の起動処理が終了してコントローラ１４がシャットダウン移行モードを開始するまで、リレー回路３をオフとすることはできず、エンジン１３における定着部２０の昇温も続ける必要があった。つまり、コントローラ１４の起動処理が終了するまで、エンジン１３において電力が無駄に消費されていた。
【００４１】
これに対して、本実施の形態の複合機１００では、ＡＣスイッチ２の後段に整流平滑回路４を設けて、ＡＣスイッチ２の出力をコンバータ６のみに供給するようにしている。一方、コンバータ７に対する電力はリレー回路３を介して供給されるので、コンバータ６とコンバータ７に対して電力供給ルートを分けることができる。従って、ＡＣスイッチ２がオフとなった場合に、シャットダウン処理の不要なエンジン１３に対しては電力供給を即遮断する一方で、シャットダウン処理が必要なコントローラ１４に対してはシャットダウン処理が完了してから電力供給を遮断することができる。
【００４２】
このようにすることで、複合機１００は、ＡＣスイッチ２がオフとなってからコントローラ１４が起動処理を終了してシャットダウン移行モードを開始するまでの間に、従来の複合機９００が無駄に消費していた図２の斜線部分の電力消費量を削減することができる。
【００４３】
上述のように、第１の実施の形態の複合機１００は、ＡＣスイッチ２とコンバータ６の間に整流平滑回路４を設けて、エンジン１３に対する電力供給回路とコントローラ１４に対する電力供給回路とを分けている。従って、エンジン１３およびコントローラ１４の電力遮断のタイミングをずらすことが可能となり、コントローラ１４のシャットダウン処理中であっても、エンジン１３に対する不必要な電力供給を速やかに遮断できるため、消費電力を低減することができる。
【００４４】
（第２の実施の形態）
次に、第２の実施の形態にかかる複合機２００について、図３ないし図５を用いて説明する。図３は、第２の実施の形態にかかる複合機２００の概略構成図である。図３に示すように、複合機２００は、ＡＣスイッチ２に対して並列にリレー回路２７を備え、コンバータ６の出力が定電圧生成回路４０を介してリレー回路２７に入力されるよう構成される。また、複合機２００は、コンバータ６と定電圧生成回路１０との間に、トランジスタ３２、３８、抵抗３３、ＲＳ−ＦＦ（Reset  Set  Flip  Flop：同期型フリップフロップ）３７、ＦＥＴ２９からなるスイッチング回路３９を備えている。さらに、複合機２００は第１の実施の形態のエンジン制御部１５、コントローラ制御部１６とは機能が異なるエンジン制御部２１５と、コントローラ制御部２１６を備えている。図１で示した第１の実施の形態と同じ構成については同じ符号を付して説明を省略し、異なる構成のみについて説明する。
【００４５】
定電圧生成回路４０は、コンバータ６の出力をリレー回路２７の駆動電圧として適した電圧に変換し、変換後の電圧をリレー回路２７に入力する。
【００４６】
リレー回路２７は、電源１とエンジン１３との間に設けられたノーマルオープン接点タイプのリレー回路であり、第２の電源遮断手段として機能する。リレー回路２７は、エンジン制御部２１５がトランジスタ２８を介してオン信号を送出した場合には、オンとなる。リレー回路２７は、オンとなった場合に、電源１からの電力を整流平滑回路４およびコンバータ６を介してエンジン１３に供給する。また、リレー回路２７は、エンジン制御部２１５がトランジスタ２８を介してオフ信号を送出した場合には、オフとなって電源１からエンジン１３への電力供給を遮断する。
【００４７】
エンジン制御部２１５は、エンジン制御部２１５が起動した場合に、トランジスタ２８を介して、リレー回路２７にオン信号を送出して、リレー回路２７をオンとする。
【００４８】
エンジン制御部２１５は、エンジン制御部２１５の起動処理が終了した場合には、タイマカウントを開始し、エンジン制御部２１５の起動処理が完了してからＡＣスイッチ２がオフとなるまでの時間を計測する。また、エンジン制御部２１５は、エンジン制御部１２５の起動処理が終了した場合に、ＡＣスイッチ２のオン・オフ状態を検出する。
【００４９】
エンジン制御部２１５は、ＡＣスイッチ２がオフであると検出した場合にはタイマカウントが計測した時間に応じて、所定の時間だけファン送風するなどして作像部１９を冷却する。さらに、エンジン制御部２１５は、作像部１９を所定の時間だけ冷却した後に、リレー回路２７にオフ信号を送出してリレー回路２７をオフとする。
【００５０】
コントローラ制御部２１６は、コントローラ１４の起動処理を開始した場合に、リレー回路３に対してオン信号を送出する。これにより、スイッチング回路３９の出力経路が切り替わり、リレー回路３の入力電圧の供給元、すなわちコントローラ１４の電力供給元が、コンバータ６からコンバータ７に切替わる。
【００５１】
次に、スイッチング回路３９を用いたコントローラ１４への電力供給元の切替について説明する。
【００５２】
まず、コントローラ制御部２１６が起動する前に、コンバータ６がスイッチング回路３９を介してリレー回路３に入力電圧を供給する場合について説明する。ＡＣスイッチ２がオンとなって、コンバータ６の出力電圧はオンであるが、コントローラ制御部２１６の起動前であってリレー回路３がオフである場合には、コンバータ７の出力電圧がオフであり、ＦＥＴ１２もオフである。（尚、コンバータ６の出力電圧がオンであって、コントローラ制御部２１６からトランジスタ２６および抵抗２４、２５を介してリレー回路３にオフ信号が送出された場合にも、ＦＥＴ１２はオフとなる。）このようにＦＥＴ１２がオフである場合には、抵抗３３を介してトランジスタ３２はオフとなり、ＲＳ−ＦＦ３７を介してトランジスタ３８およびＦＥＴ２９がオンとなって、コンバータ６はリレー回路３に入力電圧を供給する。すなわち、コンバータ６の出力によってコントローラ１４に電力が供給される。
【００５３】
次に、コントローラ制御部２１６が起動処理を開始した場合に、コンバータ７がリレー回路３に入力電圧を供給する場合について説明する。ＡＣスイッチ２がオンとなって、コントローラ制御部２１６が起動処理を開始すると、コントローラ制御部２１６は、トランジスタ２６および抵抗２４、２５を介して、リレー回路３にオン信号を送出し、リレー回路３の出力をオンとする。リレー回路３の出力がオンとなると、コンバータ７の出力電圧がオンとなって、コンバータ７はリレー回路３に入力電圧を供給する。また、リレー回路３の出力がオンになると、ＦＥＴ１２がオンとなり、抵抗３３を介してトランジスタ３２がオンとなり、ＲＳ−ＦＦ３７を介してトランジスタ３８およびＦＥＴ２９がオフとなる。（尚、ＦＥＴ２９は、オンからオフとなると、コンバータ６の出力電圧がオフとならない限り、オフ状態を維持する。）このようにＦＥＴ２９がオフである場合には、コンバータ６からスイッチング回路３９を介して供給されるリレー回路３への入力電圧は遮断される。そして、リレー回路３へは、コンバータ７からＦＥＴ１２を介して入力電圧が供給される。
【００５４】
このようにして、コントローラ制御部２１６は、リレー回路３にオン信号を送出してスイッチング回路３９の出力経路を切替えることにより、コントローラ１４への電力供給元をコンバータ６からコンバータ７に切り替える。また、このようにすることで、コントローラ制御部２１６が起動処理途中であってリレー回路３にオン信号を送出する前であっても、電源１はコンバータ６を介してリレー回路３に電力を供給できる。つまり、本実施の形態においてリレー回路２７を加えた場合でも、第１の実施の形態と同様のタイミングでリレー回路３をオンにしてコントローラ１４を起動することができる。
【００５５】
次に、複合機２００のコントローラ制御部２１６およびエンジン制御部２１５が行うシャットダウン処理の手順について、図４および図５を用いて説明する。
【００５６】
図４は、コントローラ制御部２１６が行うシャットダウン処理の手順を説明するフローチャートである。図４に示すように、ＡＣスイッチ２が投入されてオンとなると、コントローラ制御部２１６はコントローラ１４の起動処理を開始し（ステップＳ１）、リレー回路３にオン信号を送出する（ステップＳ２）。これにより、リレー回路３がオンとなる。
【００５７】
コントローラ制御部２１６は、コントローラ１４の起動処理が完了したか否かを判定して（ステップＳ３）、起動処理が完了した場合（ステップＳ３：Ｙｅｓ）には、ＡＣスイッチ２のオン・オフ状態を判定する（ステップＳ４）。ＡＣスイッチ２がオフである場合（ステップＳ４：Ｙｅｓ）には、上述したコントローラ１４のシャットダウン処理を開始する（ステップＳ５）。ＡＣスイッチ２がオンである場合（ステップＳ４：Ｎｏ）はステップＳ４に戻ってＡＣスイッチ２のオン・オフ状態の判定および起動処理を続行する。次に、コントローラ制御部２１６は、シャットダウン処理が完了した否かを判定して（ステップＳ６）、シャットダウン処理が完了するまで待機する（ステップＳ６：Ｎｏ）。シャットダウン処理の実行が完了した場合（ステップＳ６：Ｙｅｓ）には、リレー回路３にオフ信号を送出し（ステップＳ７）、リレー回路３をオフとする。これにより、コントローラ１４への電力供給が遮断されて、コントローラ制御部２１６が行うシャットダウン処理が終了する。
【００５８】
図５は、エンジン制御部２１５が行うシャットダウン処理の手順を説明するフローチャートである。図５に示すように、ＡＣスイッチ２が投入されてオンとなると、エンジン制御部２１５はエンジン１３の起動処理を開始し（ステップＳ１１）、リレー回路２７にオン信号を送出して、リレー回路２７をオンとする（ステップＳ１２）。
【００５９】
エンジン制御部２１５は、エンジン１３の起動処理が完了したか否かを判定して（ステップＳ１３）、起動処理が終了するのを待つ（ステップＳ１３：Ｎｏ）。起動処理が終了した場合（ステップＳ１３：Ｙｅｓ）には、タイマカウントを開始する（ステップＳ１４）。そして、ＡＣスイッチ２のオン・オフ状態を判定し（ステップＳ１５）、ＡＣスイッチ２がオンである場合（ステップＳ１５：Ｎｏ）はオフとなるまで判定および各種起動処理を続行する。ＡＣスイッチ２がオフである場合（ステップＳ１５：Ｙｅｓ）にエンジン制御部２１５は、エンジン１３の起動完了時からＡＣスイッチ２がオフとなるまでにタイマカウントが計測した時間に基づいて、所定の時間だけファン送風する等して作像部１９を冷却する（ステップＳ１６）。エンジン制御部２１５は、冷却処理が完了した否かを判定して（ステップＳ１７）、所定時間の冷却処理が完了するまで待つ（ステップＳ１７：Ｎｏ）。冷却処理が完了した場合（ステップＳ１７：Ｙｅｓ）にエンジン制御部２１５は、リレー回路２７にオフ信号を送出してリレー回路２７をオフとする（ステップＳ１８）。これにより、エンジン１３への電力供給が遮断されて、エンジン制御部２１５が行うシャットダウン処理が終了する。
【００６０】
次に、複合機２００が行うシャットダウン動作について、図６を用いて説明する。図６は、コントローラ制御部２１６による起動処理中にＡＣスイッチ２がオフとなった場合に、複合機２００が行うシャットダウン動作について説明するタイムチャートである。
【００６１】
図６に示すように、ＡＣスイッチ２を投入してオンとすると、ＡＣスイッチ２を介してコンバータ６に入力電圧が供給され、コンバータ６の出力電圧がオンとなる。また、エンジン１３に電力が供給されて、エンジン制御部２１５が起動処理を開始する。エンジン制御部２１５の起動が完了すると、エンジン制御部２１５は定着部２０の昇温を開始する。
【００６２】
一方、コンバータ６の出力電圧がオンとなると、コンバータ６の出力電圧がリレー回路２７に入力される。また、エンジン制御部２１５は、起動開始時にリレー回路２７にオン信号を送出し、リレー回路２７はオンとなる。
【００６３】
また、コンバータ６の出力電圧がオンとなると、コンバータ６の出力電圧がリレー回路３に入力される。そして、リレー回路３がオンとなり、リレー回路３を介してコンバータ７に電力が供給され、コンバータ７の出力電圧がオンとなる。そして、コントローラ１４に電力が供給されて、コントローラ制御部２１６は起動処理を開始する。
【００６４】
コントローラ制御部２１６が起動開始と共にリレー回路３に対してオン信号を出力すると、コンバータ７からリレー回路３への入力電圧がオンとなる。コンバータ７からリレー回路３への入力電圧がオンとなると、コンバータ６からリレー回路３への入力電圧がオフとなる。
【００６５】
エンジン１３では、エンジン制御部２１５の起動処理が完了して定着部２０を期間ａだけ昇温中であって、コントローラ１４では、コントローラ制御部２１６の起動処理中である場合に、ＡＣスイッチ２が切られてオフとなると、エンジン制御部２１５は、作像部１９を所定の期間ｂだけファン冷却してから、リレー回路２７をオフとする。リレー回路２７がオフとなると、コンバータ６への電力供給が遮断され、コンバータ６の出力電圧がオフとなり、エンジン１３に電力が供給されず、エンジン１３はシャットダウン状態となる。
【００６６】
また、コンバータ６の出力電圧がオフとなると、コンバータ６からリレー回路２７へ入力電圧は供給されなくなる。一方、コントローラ制御部２１６は、図２を用いて上述したように、コントローラ１４のシャットダウン処理が完了した後に、リレー回路３にオフ信号を送出してリレー回路３をオフとし、コンバータ７およびコントローラ１４の電力供給を遮断してコントローラ１４をシャットダウンする。
【００６７】
上述のように、本実施の形態の複合機２００は、電源１とエンジン１３との間にリレー回路２７を備え、エンジン制御部２１５からのオフ信号によってリレー回路２７をオフできるよう構成したため、コントローラ制御部２１６の起動処理が完了するのを待たずに、定着部２０の昇温を直ちに終了して加熱処理に要していた消費電力をカットすることができる。
【００６８】
また、複合機２００において、エンジン制御部２１５は、作像部１９や定着部２０などエンジン１３の各部を所定の時間冷却した後に、リレー回路２７にオフ信号を送出してエンジン１３への電力供給を遮断するため、作像部１９の温度の過上昇を防止でき、トナー固着等による画質劣化・部品劣化を回避することが出来る。
【００６９】
（第３の実施の形態）
次に、第３の実施の形態にかかる複合機３００について、図７および図８を用いて説明する。図７は、複合機３００の概略構成図である。図７に示すように、複合機３００は、第１の整流手段であるダイオード４１と、第２の整流手段であるダイオード４２と、第１、第２の実施の形態のコントローラ制御部１６、２１６とは機能の異なるコントローラ制御部３１６を備えている。
【００７０】
ダイオード４１は、コンバータ６の出力をコントローラ１４に供給する。すなわち複合機３００では、コンバータ６がダイオード４１を介してコントローラ１４に電力を供給するので、上述したようにエンジン制御部２１５がリレー回路３にオン信号を送出せずともコントローラ１４が起動処理を開始することができる。
【００７１】
コントローラ制御部３１６は、コンバータ７の出力電圧がオンとなった場合に、リレー回路３に対してオン信号を送出して、コントローラ１４への電力供給元をコンバータ６からコンバータ７へ切替える。
【００７２】
次に、コントローラ制御部３１６による、コントローラ１４への電力供給元の切替動作について図７を参照して説明する。
【００７３】
図７において、電源１は、ＡＣスイッチ２がオンとなった場合、整流平滑回路４を介してコンバータ６へ電力を供給する。コンバータ６は、ＦＥＴ２９およびダイオード４１を介してコントローラ１４に電力を供給する。また、コンバータ６は、ＦＥＴ２９、定電圧生成回路１０、ダイオード８を介してリレー回路３に電力を供給する。そして、リレー回路３がオンとなると、リレー回路３は、整流平滑回路５を介してコンバータ７の出力電圧をオンとする。
【００７４】
コントローラ制御部３１６は、コンバータ７の出力電圧がオンとなった場合に、リレー回路３に対してオン信号を送出し、リレー回路３をオンとする。そして、リレー回路３がオンとなると、ＦＥＴ１２、定電圧生成回路１１、トランジスタ３２、ＲＳ−ＦＦ３７およびトランジスタ３８を介してＦＥＴ２９がオフとなる。ＦＥＴ２９がオフとなると、コンバータ６はオフとなり、コントローラ１４への電力供給を遮断する。一方、コンバータ６がコントローラ１４への電力供給を遮断した場合に、コンバータ７は、ダイオード４２を介してコントローラ１４に電力を供給する。このようにしてコントローラ制御部３１６は、コントローラ１４への電力供給の供給元をコンバータ６からコンバータ７へ切り替える。
【００７５】
次に、複合機３００が行うシャットダウン動作について、図８を用いて説明する。図８は、コントローラ制御部３１６による起動処理中にＡＣスイッチ２がオフとなった場合に、複合機３００が行うシャットダウン動作を説明するタイムチャートである。
【００７６】
ＡＣスイッチ２が投入されてオンとなると、ＡＣスイッチ２を介してコンバータ６に電力が供給され、コンバータ６の出力電圧がオンとなり、エンジン１３とコントローラ１４に電力が供給される。そして、エンジン制御部１５およびコントローラ制御部３１６は、それぞれ起動処理を開始すると共に、リレー回路２７、リレー回路３に対してオン信号を出力する。
【００７７】
コンバータ６の出力電圧がオンとなると、コンバータ６からリレー回路３への入力電圧がオンとなり、リレー回路３がオンとなる。そして、リレー回路３を介してコンバータ７の出力電圧がオンとなり、コントローラ１４に電力が供給される。
【００７８】
一方、コンバータ７の出力電圧がオンとなると、コンバータ７からリレー回路３への入力電圧がオンとなる。すると、コンバータ６からコントローラ１４に対する電力供給は遮断されて、コンバータ７からコントローラ１４に対して電力が供給される。
【００７９】
第２の実施の形態では、図８に示すように、エンジン１３が起動処理を開始した後、時間Ｃ１だけ遅れて、コントローラ１４が起動処理を開始していた。これに対し、本実施の形態では、コンバータ６がダイオード４１を介してコントローラ１４に電力を供給することにより、コントローラ１４の起動処理をＣ１だけ早く開始することが可能となる。従って、コントローラ１４をＣ１だけ早いタイミングでシャットダウンすることが可能となり、消費電力をより低減することができる。
【００８０】
また、コントローラ１４への電力供給の供給元をコンバータ６からコンバータ７に切替えるため、コントローラ制御部３１６が起動処理中である場合にＡＣスイッチ２をオフとする場合でも、エンジン１３を先にシャットダウンすることが可能である。
【００８１】
なお、本実施の形態の画像形成装置で実行されるプログラムは、ＲＯＭ等に予め組み込まれて提供される。本実施の形態の画像形成装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、本実施の形態の画像形成装置で実行されるプログラムを、インターネット等のネットワークに接続されたコンピュータ上に格納し、ネットワーク経由でダウンロードさせることにより提供するように構成しても良い。また、本実施の形態の画像形成装置で実行されるプログラムをインターネット等のネットワーク経由で提供または配布するように構成しても良い。
【００８２】
本実施の形態の画像形成装置で実行されるプログラムは、上述した各部（コントローラ制御部１６、２１６、３１６、エンジン制御部１５、２１５）を含むモジュール構成となっており、実際のハードウェアとしてはＣＰＵ（プロセッサ）が上記ＲＯＭからプログラムを読み出して実行することにより上記各部が主記憶装置上にロードされ、コントローラ制御部１６、２１６、３１６、エンジン制御部１５、２１５が主記憶装置上に生成されるようになっている。
【００８３】
なお、上記実施の形態では、本発明の画像形成装置を、コピー機能、プリンタ機能、スキャナ機能およびファクシミリ機能のうち少なくとも２つの機能を有する複合機に適用した例を挙げて説明するが、複写機、プリンタ、スキャナ装置、ファクシミリ装置等の画像形成装置であればいずれにも適用することができる。
【符号の説明】
【００８４】
１００、２００、３００  複合機
１  電源
２  ＡＣスイッチ
１３  エンジン（画像形成手段）
１４  コントローラ
１５、２１５  エンジン制御部（画像形成制御手段）
１６、２１６、３１６  コントローラ制御部
２１  ＨＤＤ（記憶装置）
３  リレー回路（第１の電源遮断手段）
２７  リレー回路（第２の電源遮断手段）
６  コンバータ（第１の駆動電圧生成手段）
７  コンバータ（第２の駆動電圧生成手段）
３９  スイッチング回路
４１  ダイオード（第１の整流手段）
４２  ダイオード（第２の整流手段）
【先行技術文献】
【特許文献】
【００８５】
【特許文献１】特開２００４−２７６５８８号公報
【図１】
2011173286.tif 000003
【図２】
2011173286.tif 000004
【図３】
2011173286.tif 000005
【図４】
2011173286.tif 000006
【図５】
2011173286.tif 000007
【図６】
2011173286.tif 000008
【図７】
2011173286.tif 000009
【図８】
2011173286.tif 000010
【図９】
2011173286.tif 000011
【図１０】
2011173286.tif 000012